(57)【要約】【課題】  妊婦の腹部を不意の衝撃から保護する保護面と、この衝撃を緩和するクッション材を備える、妊婦用ウエストバッグを提供する。【解決手段】  ウエストバッグ本体７腹部側に、妊婦の上前腸骨棘部と鼠蹊部近傍の領域から臍部と下腹部近傍を覆うことが出来るように硬質の素材により形成した保護面２と、妊婦の骨盤４の上前腸骨棘部から鼠蹊部近傍で衝撃を緩和させるように、前記保護面２の腹部側の左右両側部に弾性を有する素材で形成されたクッション材３ａ，３ｂを設ける。【選択図】  図１
2005118502.tif 000002
【特許請求の範囲】
【請求項１】
ウエストバッグ本体と、妊婦の腹部を保護するための保護面と、前記保護面に対する衝撃を緩和する一対のクッション材と、前記保護面を妊婦の腹部に配置して腰まわりで装着するための一対のウエストベルトを設けたことを特徴とする、妊婦用ウエストバッグ。
【請求項２】
前記保護面は、妊婦の上前腸骨棘部と鼠蹊部近傍の領域から臍部と下腹部近傍を覆うことができるように硬質の素材により形成し、前記ウエストバッグ本体の腹部側に固定され、腹部に接触しないように前記クッション材により隙間をとって配置された、請求項１に記載の妊婦用ウエストバッグ。
【請求項３】
前記クッション材は弾性を有する素材で形成され、妊婦の上前腸骨棘部から鼠蹊部近傍に配置し前記保護面腹部側の左右両側部に位置調整機能を備え、且つ交換可能な取り付け方法で固定される、請求項１ないし請求項２のいずれかに記載の妊婦用ウエストバッグ。
【請求項４】
前記ウエストバッグ本体は、腹部側に前記保護面の外周面と同様な内面を有し、且つ上蓋の腹部側端部には、上面形状が下面形状と同様となるように補うための面を伸縮性の布等で形成して取り付けることにより構成される、請求項１ないし請求項２のいずれかに記載の妊婦用ウエストバッグ。
【発明の詳細な説明】
【技術分野】
【０００１】  本発明は、妊婦の腹部の保護をするために装着するウエストバッグに関する。
【背景技術】
【０００２】  従来、妊婦の腹部を保護するものとしては、腹帯若しくはマタニティショーツ等が用いられ、腹部に着用することにより締めると共に保温し、腹部及び胎児を保護していた。
【発明の開示】
【発明が解決しようとする課題】
【０００３】  しかしながら、腹帯若しくはマタニティショーツ等は通常の状態では、妊婦の腹部を保護し得るが、近年では妊娠後も就労する女性が増加傾向にあり、腹部に対する、たとえば通勤電車などでの混雑時に起こりえる不意の衝撃に対しては、十分に保護し得ない。【０００４】  そこで本発明は、妊婦が被服の上にウエストバッグのような態様で装着することにより、不意な衝撃から腹部を保護する妊婦用ウエストバッグを提供する。
【課題を解決するための手段】
【０００５】  本発明の妊婦用ウエストバッグは、腹部を保護するために、上前腸骨棘部と鼠蹊部近傍の領域から臍部と下腹部近傍を覆うことができるように硬質の素材により形成した保護面を備える。また、前記保護面への衝撃を上前腸骨棘部から鼠蹊部近傍においてを緩和するように弾性を有する素材で形成された一対のクッション材を前記保護面腹部側の左右両側部に配置して、位置調整機能を備え、且つ交換可能な取り付け方法により固定する。また、前記保護面は、妊婦の腹部に配置して腰まわりで装着するための一対のウエストベルトを備え、ウエストバッグ本体は腹部側に前記保護面の外周面と同様な内面を有し、且つ上蓋の腹部側端部には上面形状が下面形状と同様となるように補うための面を伸縮性の布等で形成して取り付けてあり、前記保護面の外周面を前記ウエストバッグ本体の内面で覆うように固定してある。
【発明の効果】
【０００６】  本発明による妊婦用ウエストバッグは、外見上は一般のウエストバッグと変わらないがウエストバッグ本体の腹部側に保護面とクッション材を備えることにより、妊婦の腹部に対する不意の衝撃を上前腸骨棘部から鼠蹊部近傍において緩和して胎児を保護することができる。【０００７】  また、妊婦が妊婦用ウエストバッグを装着することにより、たとえば通勤電車などでの混雑時に起こりえる腹部への不意な衝撃に対して、手による保護を必要としないため、両手を自身の保護のために使用できる。よって、さらに安全性を高めることができる。【０００８】  また、妊婦は自動車に乗車する際に、腹部を圧迫する等の理由によりシートベルト着用義務を免除されているが、安全上は着用した方が良い。本発明による妊婦用ウエストバッグを装着した上にシートベルトを着用すれば腹部の圧迫感が解消できるため、シートベルト着用率の上昇が期待できる。
【発明を実施するための最良の形態】
【０００９】  以下、妊婦の腹部を保護することが出来る構造を備えた妊婦用ウエストバッグの一実施の形態について図を参照して説明する。【００１０】  図１は、本発明の一実施の形態による妊婦用ウエストバッグ１の分解斜視図を示している。また、図２は妊婦用ウエストバッグｌの斜視図を示し、図３は妊婦用ウエストバッグ１を妊婦９が装着した状態を示す正面図である。【００１１】  この妊婦用ウエストバッグ１は、妊婦の腹部を日常生活における不意な衝撃から十分保護し得る程度の強度を有する硬質の素材により、上前腸骨棘部と鼠蹊部近傍の領域から臍部と下腹部近傍を覆うことが出来るように形成した保護面２を備える。【００１２】  また、保護面２腹部側の左右両側部には、弾性を有する素材で形成されたクッション材３ａ，３ｂを図３に示すように妊婦９の骨盤４の上前腸骨棘部から鼠蹊部近傍に配置して皿ビス１４などで保護面に固定する。なお、このクッション材は長溝１３により位置調整機能を備え、且つ胎児の成長に合わせて腹部に保護面が接触しないように隙間を調整できるように厚みが異なるものと交換可能とする。【００１３】  次に、保護面２を妊婦の腹部に配置して腰のまわりに装着するため、ウエストベルト５ａ，５ｂを保護面２の左右両端部に固定し、ウエストベルト５ａ，５ｂの端部には、結合可能なバックル６ａ，６ｂが取り付けられ、妊婦９の腰まわりで連結される。また、バックル６ａはウエストベルト５ａの任意の位置で固定できるように長さ調整機能も備える。なお、このバックル６ａ，６ｂは他の形式による結合手段に置き換えても良い。【００１４】  次に、ウエストバッグ本体７は、腹部側に保護面２の外周面１１と同様な内面１０を有する形状とし、上蓋１２の腹部側端部には上面形状が下面形状と同様となるように補うための面を伸縮性の布８等で形成して取り付けることにより構成される。【００１５】  次に、保護面２の外周面１１をウエストバッグ本体の内面１０で覆うように固定する。
【図面の簡単な説明】
【００１６】
【図１】本発明による妊婦用ウエストバッグの分解斜視図。
【図２】本発明による妊婦用ウエストバッグの斜視図。
【図３】妊婦用ウエストバッグを妊婦が装着した状態を示す正面図。
【符号の説明】
【００１７】１・・・妊婦用ウエストバッグ
２・・・保護面
３ａ・・・クッション材
３ｂ・・・クッション材
４・・・骨盤
５ａ・・・ウエストベルト
５ｂ・・・ウエストベルト
６ａ・・・バックル
６ｂ・・・バックル
７・・・ウエストバッグ本体
８・・・伸縮性の布
９・・・妊婦
１０・・・内面
１１・・・外周面
１２・・・上蓋
１３・・・長溝
１４・・・皿ビス
【図１】
2005118502.tif 000003
【図２】
2005118502.tif 000004
【図３】
2005118502.tif 000005